(57)【要約】      （修正有）【課題】外装体を樹脂製としつつ、外部への磁界の漏洩を軽減する。【解決手段】合成樹脂材料からなる外装体と、外装体内に配置される金属材料からなる被加熱体と、被加熱体を誘導加熱する誘導加熱手段と、少なくとも環状につながった導電性材料を含む環状部材６、２１とを備える。【選択図】図３
2014102899.tif 000002
【特許請求の範囲】
【請求項１】
合成樹脂材料からなる外装体と、
前記外装体内に配置される金属材料からなる被加熱体と、
前記被加熱体を誘導加熱する誘導加熱手段と、
少なくとも環状につながった導電性材料を含む環状部材と、
を備えたことを特徴とする誘導加熱式調理器。
【請求項２】
前記環状部材は、
前記外装体に装着される飾り部材と、
前記飾り部材の両端部に接続されるリード線と、
からなることを特徴とする請求項１に記載の誘導加熱式調理器。
【請求項３】
前記外装体は、調理器本体と、蓋体とからなり、
前記飾り部材は、前記調理器本体に装着され、
前記リード線は、前記調理器本体の背面側のデッドスペースに配置したことを特徴とする請求項２に記載の誘導加熱式調理器。
【請求項４】
前記リード線は、前記調理器本体の背面側に配置される基板の前方に配置したことを特徴とする請求項３に記載の誘導加熱式調理器。
【請求項５】
前記調理器本体は、前記飾り部材の両端部を固定するための固定受部を備え、
前記リード線は、前記飾り部材の両端部と共に前記固定受部に固定されて、前記飾り部材に電気接続されることを特徴とする請求項２から４のいずれか１項に記載の誘導加熱式調理器。
【請求項６】
前記飾り部材は、前記蓋体に装着され、前記リード線は前記蓋体内に配置したことを特徴とする請求項２に記載の誘導加熱式調理器。
【請求項７】
前記基板の前方に防磁板を配置し、
前記環状部材は、
前記外装体に装着される飾り部材と、
前記飾り部材と電気的に導通させた防磁板と、
からなることを特徴とする請求項４に記載の誘導加熱式調理器。
【発明の詳細な説明】
【技術分野】
【０００１】
本発明は、誘導加熱式調理器に関するものである。
【背景技術】
【０００２】
従来、誘導加熱式調理器として、電磁誘導加熱コイルの下方に棒状のフェライトコアを放射状に配置するようにしたものが公知である（例えば、特許文献１参照）。
【０００３】
しかしながら、前記従来の誘導加熱式調理器では、インバータから発生する磁界が外部に漏洩することを防止できない。胴を金属材料で形成すると、誘導加熱コイルから発生する磁界により、胴自身が発熱してしまう恐れがある。
【先行技術文献】
【特許文献】
【０００４】
【特許文献１】特開平８−２５６９０４号公報
【発明の概要】
【発明が解決しようとする課題】
【０００５】
本発明の課題は、外装体を樹脂製としつつ、外部への磁界の漏洩を軽減することである。
【課題を解決するための手段】
【０００６】
本発明は、前記課題を解決するための手段として、
誘導加熱式調理器を、
合成樹脂材料からなる外装体と、
前記外装体内に配置される金属材料からなる被加熱体と、
前記被加熱体を誘導加熱する誘導加熱手段と、
少なくとも環状につながった導電性材料を含む環状部材と、
を備えた構成としたものである。
【０００７】
この構成により、外装体を合成樹脂製としても、環状部材には外部に漏洩しようとする磁界によって逆起電力が起こり、前記磁界を打ち消す磁界を発生させる。よって外部への磁界の漏洩を軽減することができる。また、環状部材は、外装体の外面に沿って設けるだけであるので、構造が簡単で安価に製作することができる。
【０００８】
前記環状部材は、
前記外装体に装着される飾り部材と、
前記飾り部材の両端部に接続されるリード線と、
で構成するのが好ましい。
【０００９】
この構成により、既に外装体に装着されている外観装飾用の飾り部材を有効利用しつつ、リード線を付加するだけの安価の構成により、外部への磁界の漏洩を軽減することができる。
【００１０】
前記外装体は、調理器本体と、蓋体とからなり、
前記飾り部材は、前記調理器本体に装着され、
前記リード線は、前記調理器本体の背面側のデッドスペースに配置するのが好ましい。
【００１１】
この構成により、リード線を配置するための特別な構造上の変更を必要とすることもなく対応することができる。
【００１２】
前記リード線は、前記調理器本体の背面側に配置される基板の前方に配置するのが好ましい。
【００１３】
この構成により、基板への誘導加熱手段からの磁界の影響を軽減することができる。
【００１４】
前記調理器本体は、前記飾り部材の両端部を固定するための固定受部を備え、
前記リード線は、前記飾り部材の両端部と共に前記固定受部に固定されて、前記飾り部材に電気接続されるのが好ましい。
【００１５】
この構成により、元々飾り部材の固定に利用していた部分をリード線の接続にも兼用することができ、リード線の取付作業が簡単で、構造上の変更も不要とすることができる。
【００１６】
前記飾り部材は、前記蓋体に装着され、前記リード線は前記蓋体内に配置するようにしてもよい。
【００１７】
この構成により、蓋体側であっても磁界の漏洩を軽減することができる。
【００１８】
前記基板の前方に防磁板を配置し、
前記環状部材は、
前記外装体に装着される飾り部材と、
前記飾り部材と電気的に導通させた防磁板と、
で構成するのが好ましい。
【００１９】
この構成により、基板に対する誘導加熱手段からの磁界の影響を排除する防磁板を磁界の漏洩軽減にも兼用させることが可能となる。
【発明の効果】
【００２０】
本発明によれば、合成樹脂製の外装体に対して環状部材を設けただけの簡単かつ安価な構成により、外部への磁界の漏洩を軽減することができる。
【図面の簡単な説明】
【００２１】
【図１】本実施形態に係る誘導加熱式調理器の外観を示す斜視図である。
【図２】図１の誘導加熱式調理器の断面図である。
【図３】図１の誘導加熱式調理器の第１底部材、飾り部材、リード線及びネジの分解斜視図である。
【図４】図３の第１底部材を異なる角度からみた状態を示す部分斜視図である。
【図５】他の実施形態に係る誘導加熱式調理器の第１底部材、飾り部材、リード線及びネジの分解斜視図である。
【発明を実施するための形態】
【００２２】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２３】
図１は、本実施形態に係る誘導加熱式調理器の外観斜視図、図２は、その断面図を示す。この誘導加熱式調理器は、調理器本体１と蓋体２とを備え、内部には内容器３が収容される。
【００２４】
調理器本体１は、合成樹脂製で、底部材４と肩部材５とからなり、両者の間には飾り部材６が配置されている。
【００２５】
底部材４は、第１底部材７と第２底部材８とからなる。
図３に示すように、第１底部材７は、背面側上方開口部に切欠部９が形成され、この切欠部９を除く領域（側面及び前面）の上端部に他の部分よりも薄肉となった突条部１０が形成されている。また、図４に示すように、第１底部材７の切欠部９を構成する両側部分には、縦長の直交する２平面が形成され、その上端部には外側に迫り出したネジ止め受部１１が形成されている。ネジ止め受部１１の中央部分には貫通孔１１ａ（雌ネジを有していてもよい）が形成され、後述するネジ２２を螺合可能となっている。図３に示すように、第１底部材７の両側上端部には半円状の切欠１２が形成され、そこには把手１３の両端に設けた軸部が回転可能に支持される。
【００２６】
また、図２に示すように、第１底部材７の内部底面には、渦巻状に巻回した誘導加熱コイル１４が配置され、その下面側には放射状に延びるフェライト１５が配置されている。誘導加熱コイル１４及びフェライト１５は保持部材１６によって保持されている。また、保持部材１６と肩部材５の間には胴部材１７が装着され、内容器３を収容可能な収容空間が形成されている。
【００２７】
さらに、第１底部材７の背面側で、胴部材１７と肩部材５とによって形成される空間には、インバータ回路等を形成された電源基板、フィルタ回路を形成された基板１８等が配置される。
【００２８】
第２底部材８は、第１底部材７に装着されて、その底面及び背面を覆う。
【００２９】
肩部材５は、第１底部材７の上方開口部に装着され、胴部材１７と共に内部空間を形成する。
【００３０】
図３に示すように、飾り部材６は、合成樹脂材料（例えば、ＡＢＳ樹脂）を略Ｕ字形としたものである。上下面には、その中心線に沿って両端部につながる溝部１９（下面側は図示せず）がそれぞれ形成されている。下面側の溝部には、底部材４の突条部１０が位置し、底部材４に対して飾り部材６が位置決めされる。この位置決め状態では、飾り部材６の内外面は底部材４の内外面と面一となる。また、上面側の溝部１９には肩部材５に形成される、前記底部材４と同様な突条部（図示せず）が位置し、肩部材５の内外面と面一となる。飾り部材６の両端部には水平方向に突出する薄肉円形状の取付部２０が突出している。取付部２０の中央部には貫通孔２０ａが形成されている。なお、飾り部材６の表面全体はニッケルクロムメッキされている。
【００３１】
飾り部材６の取付部２０は、第１底部材７のネジ止め受部１１に位置決めされ、両者の貫通孔２０ａ、１１ａが連通する。そして、取付部２０の上面にリード線２１の導電部２１ａを配置した状態で、取付部２０の貫通孔２０ａにネジ２２の軸部を挿通し、ネジ止め受部１１の貫通孔１１ａに螺合する。これにより、ネジ２２の頭部と取付部２０の上面との間にリード線２１が接続され、飾り部材６とリード線２１とによって環状につながった導電部分（環状部材）が構成されるようになっている。
【００３２】
次に、前記構成からなる誘導加熱式調理器の組立方法を、その一部の部品について説明する。
【００３３】
まず、第１底部材７の底面に、誘導加熱コイル１４、フェライト１５、等を保持した保持部材１６を配置する。保持部材１６の上端部と肩部材５との間には胴部材１７を配置し、調理器本体１内に内容器３を収容可能な内部空間を形成する。また、調理器本体１の背面側に基板１８等を収容し、前方部分に図示しない制御基板、ファン等を収容する。
【００３４】
続いて、前記各種部品が取り付けられた第１底部材７に、飾り部材６を取り付ける。飾り部材６は、その下面側の溝部に第１底部材７の突条部１０を位置決めすることにより、第１底部材７に対して仮止めする。この状態では、飾り部材６の取付部２０が、第１底部材７のネジ止め受部１１に位置決めされる。そこで、飾り部材６の取付部２０に形成した貫通孔２０ａを介して第１底部材７のネジ止め受部１１に形成した貫通孔１１ａにネジ２２を螺合する。このとき、リード線２１を基板１８の前方に形成されているデッドスペースに配置した状態で、その両端の導線部２１ａをネジ２２の頭部と飾り部材６の取付部２０との間に挟持させる。これにより、飾り部材６のニッケルクロムメッキとリード線２１とで環状につながった導電部分（環状部材）が形成される。
【００３５】
このように、飾り部材６へのリード線２１の接続は、元々飾り部材を第１底部材７に固定するために使用していたネジ２２をそのまま飾り部材６とリード線２１との接続にも利用するようにしている。そして、リード線２１は、調理器本体１の背面側のデッドスペースに配置している。したがって、既存の誘導加熱式調理器の構成に特別な変更を施す必要なく、リード線２１を追加するだけで環状部材を得ることができる。そして、得られた環状部材により、内部で発生した磁界が誘導加熱式調理器の外部へと漏洩することが軽減される。また、誘導加熱コイル１４から発生した磁界が基板１８に悪影響を与えることをも防止することが可能となる。
【００３６】
なお、本発明は、前記実施形態に記載された構成に限定されるものではなく、種々の変更が可能である。
【００３７】
例えば、前記実施形態では、飾り部材６の両端部をリード線２１で接続するようにしたが、銅板等、他の導電性部材で接続することも可能である。この場合、導電性部材は、飾り部材６との接続部分以外を絶縁材料で被覆しておくのが好ましい。
【００３８】
また、前記実施形態では、合成樹脂製の飾り部材６の表面にニッケルクロムメッキを施すことにより導電性を有する構成としたが、飾り部材自身を導電性を有する金属材料等で構成してもよい。また、飾り部材６を金属材料で構成する場合、両端部以外を樹脂等で被覆してもよい。
【００３９】
また、前記実施形態では、調理器本体側に設けた飾り部材６にリード線等の導電性部材を接続することにより環状部材を構成するようにしたが、図１中、２点鎖線で示すように、蓋体２に設けた飾り部材２３に導電性部材を接続するようにしてもよい。この場合、導電性部材は、蓋体２の内部に配置するのが好ましい。但し、蓋体２に沿って外部に配置することも可能である。例えば、飾り部材２３を環状につながった構成として蓋体２に設けるようにしてもよい。また、飾り部材２３は、蓋体２の前方側では、前記同様、導電性部材で接続するように構成することも可能である。
【００４０】
また、前記実施形態では、飾り部材６とリード線２１とで導電性を有する環状部材を構成するようにしたが、環状部材は必ずしもこれらで構成する必要はなく、他の部材で構成することも可能である。例えば、第１底部材７の内周面に環状の導電性部材を配置したり、メッキしたりする等により環状部材を構成することも可能である。
【００４１】
また、前記実施形態では、底部材４を第１底部材７と第２底部材８で構成したが、これらは必ずしも分離している必要はなく一体的な構成であっても構わない。
【００４２】
また、前記実施形態では、基板１８等の電子部品の前方側の構成については特に言及しなかったが、図５に示すように、防磁板２４を配置するのが好ましい。そして、この防磁板と飾り部材６とをリード線２５で接続したり、防磁板２４と飾り部材６とを直接接続可能としたりするのがより一層好ましい。これにより、電子部品への磁界の影響と外部への磁界の漏洩を軽減することが可能となる。
【００４３】
また、前記実施形態では、本発明の構成を誘導加熱式炊飯器に採用する場合ついて説明したが、ＩＨ調理器等、誘導加熱式の調理器全般に採用することができる。
【００４４】
また、前記実施形態では、リード線２１の導線部２１ａをネジ２２の頭部と飾り部材６の取付部２０との間に挟持させるようにしたが、ネジ２２に代えて、ボルト及びナットによりリード線２１の導線部２１ａ、飾り部材６の取付部２０、第１底部材７のネジ止め受部１１を挟持するようにしてもよい。
【符号の説明】
【００４５】
１…調理器本体（外装体）
２…蓋体（外装体）
３…内容器（被加熱体）
４…底部材
５…肩部材
６…飾り部材（環状部材）
７…第１底部材
８…第２底部材
９…切欠部
１０…突条部
１１…ネジ止め受部
１２…切欠
１３…把手
１４…誘導加熱コイル（誘導加熱手段）
１５…フェライト
１６…保持部材
１７…胴部材
１８…基板
１９…溝部
２０…取付部
２１…リード線（環状部材）
２２…ネジ
２３…飾り部材
２４…防磁板
２５…リード線
【図１】
2014102899.tif 000003
【図２】
2014102899.tif 000004
【図３】
2014102899.tif 000005
【図４】
2014102899.tif 000006
【図５】
2014102899.tif 000007